(57)【要約】【課題】複数のフェライトの取付け位置のズレを防ぐことによってノイズ除去性能が低下することを防ぐことができる多重通信用コネクタを提供すること。【解決手段】一対のタブ状端子５１が挿通される一対の貫通孔４１が複数組並んで設けられ、組となる一対の貫通孔４１が形成される面となる貫通孔形成面４２ａ、４２ｂに対して、前面側には前面側の貫通孔形成面４２ａが底面となる凹状に表前側の貫通孔形成面４２ａの周辺に傾斜面４３ａが形成された凹部４４ａが複数並んで設けられ、後面側には後面側の貫通孔形成面４２ｂが天井面となる凸状に貫通孔形成面４２ｂの周辺に傾斜面４３ｂが形成された凸部４４ｂが複数の凹部４４ａの後面側に複数並んで設けられ、互いに前後で複数の凹部４４ａと複数の凸部４４ｂとを嵌め合わせることによって、複数組の一対の貫通孔４１のそれぞれが相対的に位置決め配置される複数のフェライト４０を有する。【選択図】図３
2020047368.tif 000002
【特許請求の範囲】
【請求項１】
一対のタブ状端子が挿通される一対の貫通孔が複数組並んで設けられ、組となる前記一対の貫通孔が形成される面となる貫通孔形成面に対して、前面側には前面側の前記貫通孔形成面が底面となる凹状に前記表前側の貫通孔形成面の周辺に傾斜面が形成された凹部が複数並んで設けられ、
後面側には後面側の前記貫通孔形成面が天井面となる凸状に前記貫通孔形成面の周辺に傾斜面が形成された凸部が複数の前記凹部の後面側に複数並んで設けられ、
互いに前後で複数の前記凹部と複数の前記凸部とを嵌め合わせ、複数組の前記一対の貫通孔のそれぞれが相対的に位置決め配置されることによって、前記タブ状端子に対して複数組の前記一対の貫通孔が位置決め配置される複数のフェライト
を有することを特徴とする多重通信用コネクタ。
【請求項２】
前記一対のタブ状端子の各タブ状端子を連結する端子連結部を有する一対のバスバーのそれぞれの前記端子連結部を固定する一対の端子固定部と、前記端子固定部によって固定された前記一対のバスバーに対して前記フェライトが位置決め配置されるように前記フェライトの後面の前記複数の凸部に対応した複数の位置決め凹部を有する位置決め部と、を有し、相手コネクタとの嵌合部分となるコネクタ嵌合部が形成されたアウタハウジングの後部に組み付けられるインナハウジング
を有することを特徴とする請求項１に記載の多重通信用コネクタ。
【請求項３】
前記アウタハウジングは、
前記位置決め部に配置された前記フェライトを収容方向最後端側として前方に嵌め合わされた前記複数のフェライトの最前端側のフェライトを収容方向に押圧する押圧面
を有することを特徴とする請求項２に記載の多重通信用コネクタ。
【発明の詳細な説明】
【技術分野】
【０００１】
本発明は、ノイズ除去機能を有する多重通信用コネクタに関する。
【背景技術】
【０００２】
従来、車両に搭載された複数の電装品を通信によって制御するために配策される通信線の接続に多重通信用コネクタが用いられる。
この多重通信用のコネクタは、コネクタハウジング内にノイズを除去するための磁性体としてフェライトが内部に配置されるようになっている。
【０００３】
例えば、特許文献１には、複数のフェライトプレート（フェライト）を重ねて配置することによって所望のインピーダンス特性を得ることができる多重通信用のコネクタが記載されている。
【先行技術文献】
【特許文献】
【０００４】
【特許文献１】特開２０１１−２５３６４３号公報
【発明の概要】
【発明が解決しようとする課題】
【０００５】
しかしながら、特許文献１に記載された多重通信用のコネクタは、複数のフェライトの収容部分に複数のフェライトを収容した際、複数のフェライトが互いに相対的にズレを生じ、各フェライトの端子の貫通穴が相対的にズレる虞がある。すると端子と貫通穴の内壁面との摩擦によってノイズ除去性能が低下し、結果的に、通信信頼性が低下してしまうことが懸念される。
【０００６】
本発明は、上記に鑑みてなされたものであって、複数のフェライトの取付け位置のズレを防ぐことによってノイズ除去性能が低下することを防ぐことができる多重通信用コネクタを提供することを目的とする。
【課題を解決するための手段】
【０００７】
上述した課題を解決し、目的を達成するために、本発明に係る多重通信用コネクタは、一対のタブ状端子が挿通される一対の貫通孔が複数組並んで設けられ、組となる前記一対の貫通孔が形成される面となる貫通孔形成面に対して、前面側には前面側の前記貫通孔形成面が底面となる凹状に前記表前側の貫通孔形成面の周辺に傾斜面が形成された凹部が複数並んで設けられ、後面側には後面側の前記貫通孔形成面が天井面となる凸状に前記貫通形孔成面の周辺に傾斜面が形成された凸部が複数の前記凹部の後面側に複数並んで設けられ、互いに前後で複数の前記凹部と複数の前記凸部とを嵌め合わせ、複数組の前記一対の貫通孔のそれぞれが相対的に位置決め配置されることによって、前記タブ状端子に対して複数組の前記一対の貫通孔が位置決め配置される複数のフェライトを有することを特徴とする。
【０００８】
また、本発明に係る多重通信用コネクタは、上記の発明において、前記一対のタブ状端子の各タブ状端子を連結する端子連結部を有する一対のバスバーのそれぞれの前記端子連結部を固定する一対の端子固定部と、前記端子固定部によって固定された前記一対のバスバーに対して前記フェライトが位置決め配置されるように前記フェライトの後面の前記複数の凸部に対応した複数の位置決め凹部を有する位置決め部と、を有し、相手コネクタとの嵌合部分となるコネクタ嵌合部が形成されたアウタハウジングの後部に組み付けられるインナハウジングを有することを特徴とする。
【０００９】
また、本発明に係る多重通信用コネクタは、上記の発明において、前記アウタハウジングが、前記位置決め部に配置された前記フェライトを収容方向最後端側として前方に嵌め合わされた前記複数のフェライトの最前端側のフェライトを収容方向に押圧する押圧面を有することを特徴とする。
【発明の効果】
【００１０】
本発明に係る多重通信用コネクタは、前記複数のフェライトが互いに前後で複数の前記凹部と複数の前記凸部とを嵌め合わせて配置されることによって、前記複数のフェライトのそれぞれを保持する保持手段を設けなくても、前記複数のフェライトを相対的に位置決め配置することができるので、複数のフェライトの取付け位置のズレを防ぐことによってノイズ除去性能が低下することを防ぐことができる。
【図面の簡単な説明】
【００１１】
【図１】図１は、本発明の実施例に係る多重通信用コネクタの分解斜視図である。
【図２】図２は、本発明の実施例に係る多重通信用コネクタの分解断面図である。
【図３】図３は、本発明の実施例に係る多重通信用コネクタの断面図である。
【図４】図４は、図３に示した多重通信用コネクタのＡ−Ａ線断面図である。
【発明を実施するための形態】
【００１２】
以下、図面を参照して、本発明に係る多重通信用コネクタの好適な実施例を詳細に説明する。
【実施例】
【００１３】
図１は、本発明の実施例に係る多重通信用コネクタ１の分解斜視図である。図２は、本発明の実施例に係る多重通信用コネクタ１の分解断面図である。図３は、本発明の実施例に係る多重通信用コネクタ１の断面図である。図４は、図３に示した多重通信用コネクタ１のＡ−Ａ線断面図である。
本発明の実施例１に係る多重通信用コネクタは、例えば、車両に搭載された複数の電装品を通信によって制御するために配策される通信線の接続に用いられるものである。
多重通信用コネクタ１は、コネクタハウジング１０と、コネクタハウジング１０の内部に組み込まれる複数のフェライト４０一対のバスバー５０と、を有する。
【００１４】
まず、複数のフェライト４０について説明する。
各フェライト４０は、外形矩形状の磁性体であり、一対のバスバー５０の後述する一対のタブ状端子５１が挿通される一対の貫通孔４１が複数組並んで設けられ、組となる一対の貫通孔４１が形成される面となる貫通孔形成面４２ａ、４２ｂに対して、前面側には前面側の貫通孔形成面４２ａが底面となる凹状に前面側の貫通孔形成面４２ａの周辺に傾斜面４３ａが形成された凹部４４ａが複数並んで設けられている。
【００１５】
また、各フェライト４０は、後面側には後面側の貫通孔形成面４２ｂが天井面となる凸状に貫通孔形成面４２ｂの周辺に傾斜面４３ｂが形成された凸部４４ｂが複数の凹部４４ａの後面側に複数並んで設けられる。
【００１６】
また、各フェライト４０は、前面にフェライト４０の外形を縁取るように外形縁面４０ａが形成されており、この外形縁面４０ａが後述するアウタハウジング２０の押圧面２２ａによって収容方向に押圧される被押圧面になっている。
【００１７】
複数のフェライト４０は、互いに前後で複数の凹部４４ａと複数の凸部４４ｂとを嵌め合わせ、複数組の一対の貫通孔４１のそれぞれが相対的に位置決め配置されることによって、タブ状端子５１に対して複数組の一対の貫通孔４１が相対的に位置決め配置され、相対的なズレが防止される。
【００１８】
次に、一対のバスバー５０について説明する。
一対のバスバー５０の各バスバー５０は、板状の導電部材にプレス加工等を施すことによって成形されたものである。
各バスバー５０は、複数のタブ状端子５１と、複数のタブ状端子５１を連結する端子連結部５２と、を有する。
【００１９】
次に、コネクタハウジング１０について説明する。
コネクタハウジング１０は、合成樹脂等の絶縁材からなり、アウタハウジング２０と、アウタハウジング２０の後部に組み付けられるインナハウジング３０と、を有する。
【００２０】
アウタハウジング２０は、不図示の相手コネクタとの嵌合部分となるコネクタ嵌合部２５と、インナハウジング３０が後部に組み付けられた状態で複数のフェライト４０を収容方向に押圧する押圧面２２ａが形成された押圧壁部２２と、インナハウジング３０との嵌合部分となる嵌合部２３と、インナハウジング３０が組み付け完了された状態でインナハウジング３０の被係合部３７に係合する係合部２４と、を有する。
【００２１】
コネクタ嵌合部２５は、相手コネクタが嵌入される嵌入空間２５ａが形成されたフード状をなし、嵌入空間２５ａの底面を形成する底壁２１に一対のバスバー５０の各タブ状端子５１が貫通される複数の貫通孔２１ａが形成されている。
このコネクタ嵌合部２５は、底壁２１から嵌入空間２５ａに向けて一対のバスバー５０の各タブ状端子５１が突出されるようになっている。
【００２２】
押圧壁部２２は、底壁２１の一部であり、インナハウジング３０が組み付けられることによってフェライト４０に対峙される側の面が複数のフェライト４０を収容方向に押圧する押圧面２２ａになっている。
【００２３】
嵌合部２３は、組み付け完了されたインナハウジング３０の側周面を覆うようにインナハウジング３０に嵌合する部分である。
この嵌合部２３は、複数のフェライト４０を収容するためのフェライト収容空間２３ａを形成するフェライト収容部としても機能している。
【００２４】
係合部２４は、アウタハウジング２０の後部に突設されている。この係合部２４は、より具体的には、嵌合部２３の対向する内壁面の両端部内面に突設されている。
【００２５】
インナハウジング３０は、フェライト４０を位置決め配置する位置決め部３１と、位置決め部３１に配置されたフェライト４０を保持するフェライト保持部３３と、一対のバスバー５０のそれぞれの端子連結部５２を固定する一対の端子固定部３６と、アウタハウジング２０の係合部２４に係合される被係合部３７と、を有する。
【００２６】
位置決め部３１は、端子固定部３６によって固定された一対のバスバー５０の複数のタブ状端子５１に対してフェライト４０が位置決め配置されるようにフェライト４０の後面の複数の凸部４４ｂに対応した複数の位置決め凹部３２を有する。
【００２７】
各位置決め凹部３２は、底面に一対の端子固定部３６に固定された一対のバスバー５０の各タブ状端子５１を組とする一対のタブ状端子５１が挿通される貫通孔３２ｂが形成され、この貫通孔３２ｂが形成される面が底面となるように複数の傾斜面３２ａが形成されている。
【００２８】
各端子固定部３６によってインナハウジング３０に位置決め固定された一対のバスバー５０の各タブ状端子５１は、各位置決め凹部３２の貫通孔３２ｂを通してフェライト収容空間２３ａに向けて突出されるようになっている。
【００２９】
位置決め部３１に配置されたフェライト４０は、複数組の一対の貫通孔４１のそれぞれの中心を挿通されるタブ状端子５１の中心に一致するように位置決め配置される。
【００３０】
フェライト保持部３３は、位置決め部３１に配置されたフェライト４０の外周面を囲う壁からなる囲い壁部３４と、位置決め部３１に配置されたフェライト４０を挟持する複数組の一対のフェライト挟持片３５と、を有する。
【００３１】
複数組の一対のフェライト挟持片３５は、位置決め部３１に配置されたフェライト４０の一対の貫通孔４１の組ごとの並びに対応した並び位置でフェライト４０の両側面を複数箇所で挟持するように設けられている。
【００３２】
各組の一対のフェライト挟持片３５は、囲い壁部３４の内面に基端部が設けられ、先端部周辺部分が位置決め部３１に配置されたフェライト４０の側面に沿うように屈曲されて撓んでいる。
【００３３】
一対の端子固定部３６は、一対のバスバー５０の各端子連結部５２が圧入される部分である。
各端子固定部３６は、インナハウジング３０の後面に圧入口が形成され、位置決め部３１が形成される壁の裏面側から各位置決め凹部３２の貫通孔３２ｂに各タブ状端子を挿通した状態で各端子連結部５２が圧入固定される部分である。
【００３４】
被係合部３７は、アウタハウジング２０の一対の係合部２４に係合されるように、インナハウジング３０の側周面に一対の凹部として設けられている。
【００３５】
次に、多重通信用コネクタ１の組立手順を説明する。
まず、作業者は、一対のバスバー５０をインナハウジング３０に取り付ける。
より具体的には、作業者は、一対のバスバー５０の各端子連結部５２をインナハウジング３０の対応する端子固定部３６に圧入固定する。
【００３６】
次に、作業者は、複数のフェライト４０をインナハウジング３０に積層配置する。
より具体的には、作業者は、インナハウジング３０に取り付け完了された一対のバスバー５０のそれぞれのタブ状端子５１を各フェライト４０の一対の貫通孔４１に挿通しつつ、前側に配置されるフェライト４０の後面に設けられた複数の凸部４４ｂと、後ろ側に配置されるフェライト４０の前面に設けられた複数の凹部４４ａを嵌め合わせてインナハウジング３０に積層配置する。
なお、後ろ側に配置されたフェライト４０は、この実施例では、複数のフェライト４０のうち最も後ろ側に配置されるフェライト４０であるため、位置決め部３１によって位置決め配置されるとともに、フェライト保持部３３によって保持される。
このため、後ろ側に配置されたフェライト４０は、複数組の一対の貫通孔４１のそれぞれが端子固定部３６に固定された一対のバスバー５０の対応するタブ状端子５１に対して位置決め配置される。
【００３７】
また、互いに前後で複数の凹部４４ａと複数の凸部４４ｂとを嵌め合わせ、複数組の一対の貫通孔４１のそれぞれが相対的に位置決め配置される。
このため、前側に配置されたフェライト４０についても、後ろ側に配置されたフェライト４０と同様に、複数組の一対の貫通孔４１のそれぞれが端子固定部３６に固定された一対のバスバー５０の対応するタブ状端子５１に対して位置決め配置される。
【００３８】
最後に、作業者は、インナハウジング３０をアウタハウジング２０の後部に組み付けることによって多重通信用コネクタ１の組み立てを完了する。
より具体的には、アウタハウジング２０の後部の嵌合部２３をインナハウジング３０の側周面を覆うように嵌め合わせつつ、インナハウジング３０の被係合部３７にアウタハウジング２０の係合部２４を係合させる。
【００３９】
このようにインナハウジング３０をアウタハウジング２０の後部に組み付ける際、アウタハウジング２０の押圧面２２ａが前側に配置されたフェライト４０の被押圧面４０ａに当接され、後側に積層されたフェライト４０とともに複数のフェライト４０を収容方向に押圧する。
このため、複数のフェライト４０は、積層方向でアウタハウジング２０の押圧面２２ａと、インナハウジング３０の位置決め凹部３２の各傾斜面３２ａとの間に挟持されることによって、フェライト収容空間２３ａ内に完全に固定される。
【００４０】
これにより、複数のフェライト４０は、複数組の一対の貫通孔４１の各貫通孔４１の中心と、各貫通孔４１に挿通されているタブ状端子５１の中心とが一致した状態でフェライト収容空間２３ａ内に完全に固定される。
【００４１】
本発明の実施例に係る多重通信用コネクタ１は、複数のフェライト４０が互いに前後で複数の凹部４４ａと複数の凸部４４ｂとを嵌め合わせて配置されることによって、複数のフェライト４０のそれぞれを保持する保持手段を設けなくても、複数のフェライト４０を相対的に位置決め配置することができるので、複数のフェライトの取付け位置のズレを防ぐことによってノイズ除去性能が低下することを防ぐことができる。
【００４２】
また、本発明の実施例に係る多重通信用コネクタ１は、フェライト４０を後面の複数の凸部４４ｂに対応した複数の位置決め凹部３２を有する位置決め部３１に配置することによって、フェライト４０が端子固定部３６によって固定された一対のバスバー５０に対して位置決め配置されるため、この位置決め部３１に位置決め配置されたフェライト４０を基準として相対的に位置決め配置される複数のフェライト４０を一対のバスバー５０に対して位置決め配置することができる。
【００４３】
また、本発明の実施例に係る多重通信用コネクタ１は、インナハウジング３０の位置決め部３１に配置されたフェライト４０を収容方向最後列側として前方に嵌め合わされた複数のフェライト４０の最前列側のフェライト４０をアウタハウジング２０の押圧面２２ａによって収容方向に押圧することによって、押圧面２２ａと位置決め凹部３２との間に複数のフェライト４０を挟持固定することができる。
このように本発明の実施例に係る多重通信用コネクタ１は、押圧面２２ａと位置決め凹部３２との間に複数のフェライト４０を挟持固定することによって、位置決め部３１に配置されることによって一対のバスバー５０に対して位置決め配置されたフェライト４０を基準に相対的に位置決め配置される複数のフェライト４０を押圧面２２ａによる収容方向への押圧力のみによって安定的に固定することができる。
【００４４】
なお、本発明の実施例に係る多重通信用コネクタ１は、２つのフェライト４０を有するものを例示したが、フェライト４０の数は複数であればよく、３つ以上であってもよい。
【００４５】
また、本発明の実施例に係る多重通信用コネクタ１は、複数組の一対のフェライト挟持片３５が、位置決め部３１に配置されたフェライト４０を挟持するものを例示したが、複数組の一対のフェライト挟持片３５が挟持するフェライト４０は位置決め部３１に配置されたもの以外のフェライト４０であっても構わない。例えば、複数組の一対のフェライト挟持片３５がこの実施例における前側に配置されるフェライト４０を挟持するようにしてもよい。
【００４６】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４７】
１              多重通信用コネクタ
１０            コネクタハウジング
２０            アウタハウジング
２１            底壁
２１ａ          貫通孔
２２            押圧壁部
２２ａ          押圧面
２３            嵌合部（フェライト収容部）
２３ａ          フェライト収容空間
２４            係合部
２５            コネクタ嵌合部
２５ａ          嵌入空間
３０            インナハウジング
３１            位置決め部
３２            位置決め凹部
３２ａ          傾斜面
３２ｂ          貫通孔
３３            フェライト保持部
３４            囲い壁部
３５            フェライト挟持片
３６            端子固定部
３７            被係合部
４０            フェライト
４０ａ          外形縁面（被押圧面）
４１            貫通孔
４２ａ、４２ｂ  貫通孔形成面
４３ａ、４３ｂ  傾斜面
４４ａ          凹部
４４ｂ          凸部
５０            バスバー
５１            タブ状端子
５２            端子連結部
【図１】
2020047368.tif 000003
【図２】
2020047368.tif 000004
【図３】
2020047368.tif 000005
【図４】
2020047368.tif 000006